(57)【要約】【課題】物品を出し入れが容易な陳列収納ケースを得る。【解決手段】台座１１、２つの中間ケース１２、１２’、カバー１３は、この順に上方に順次に重ねられ、台座１１と中間ケース１２は突起部１１ｂと嵌合穴１２ｃにより、中間ケース１２、１２’同士は突起部１２ｅと嵌合穴１２ｃ’により、中間ケース１２’とカバー１３とは突起部１２ｅ’と嵌合穴１３ａにより嵌合し、上部の部材は下部の部材に対し回動自在にされている。物品をこの陳列収納ケースに陳列するには、上述の組立てに従って、物品を並べてゆけばよいが、途中での物品の挿入、取り出す際には、必要に応じて上方のカバー１３や中間ケース１２’を回動させることにより、下方の中間ケース１２、１２’に対して物品の挿入、取り出しが可能となる。【選択図】　　　　図２
2004135914.tif 000002
【特許請求の範囲】
【請求項１】
円筒状の突起部を上方に向けて設けた合成樹脂製の台座と、底部により前記台座をほぼ覆い前記底部の少なくとも一部を前記台座の一部に係止すると共に前記突起部に対して回転自在に嵌合する嵌合部を有し、該嵌合部の上方に連接する筒状部を介して突起部を上方に向けて設け、前記底部上に設けた略筒状の外壁を有する透明合成樹脂製の中間ケースと、該中間ケースの外壁をほぼ覆い周縁の少なくとも一部を前記中間ケースの外壁に係止すると共に、前記中間ケースの突起部に対し回転自在に嵌合する嵌合部を有する透明合成樹脂製のカバーとから成ることを特徴とする陳列収納ケース。
【請求項２】
前記中間ケースは複数段設け、上段の中間ケースは、前記底部の少なくとも一部を下段の中間ケースの外壁の少なくとも一部に係止し、下段の中間ケースの前記突起部に対し回動自在に嵌合する嵌合部を有する請求項１に記載の陳列収納ケース。
【請求項３】
前記台座は両端に円弧部を有する略小判型とした請求項１に記載の陳列収納ケース。
【請求項４】
前記台座に設けた前記突起部の中心は前記台座の一方の端部の円弧部の曲率中心と一致するようにした請求項３に記載の陳列収納ケース。
【発明の詳細な説明】
【０００１】
【発明の属する技術分野】
本発明は、ミニカー、キャラクタ人形、お菓子のおまけ等の比較的小さな物品を、例えば机上に置いて、陳列するための陳列収納ケースに関するものである。
【０００２】
【従来の技術】
従来、この種の陳列収納ケースとしては、図５に示すように台座１上に透明ケース２を積み重ねて、透明ケース２内に物品を陳列するものが知られている。
【０００３】
【発明が解決しようとする課題】
例えば、陳列収納ケースの両側の物品を取り出したり並べ替える際には、透明ケース２を持ち上げて、場合によっては脇に置いてから、物品に触れなければならない。
【０００４】
しかし、持ち上げた透明ケース２に物品が載置されている場合には、一般に陳列物品は小型、軽量なために動き易いために不安定となり、透明ケース２の持ち上げている間に、傾きによって物品の陳列が崩れる虞れがある。
【０００５】
また、キャラクタ人形等の起立の不安定な物品を収納した際には、陳列収納ケースに衝撃を与えただけでも転倒してしまう虞れもある。
【０００６】
本発明の第１の目的は、上述の問題点を解決し、物品の取り出しや並べ替えが容易にできる陳列収納ケースを提供することにある。
【０００７】
また、本発明の第２の目的は、自立安定性の悪い物品も自立させて収納できる簡便な陳列収納ケースを提供することにある。
【０００８】
【課題を解決するための手段】
上記目的を達成するための本発明に係る陳列収納ケースは、円筒状の突起部を上方に向けて設けた合成樹脂製の台座と、底部により前記台座をほぼ覆い前記底部の少なくとも一部を前記台座の一部に係止すると共に前記突起部に対して回転自在に嵌合する嵌合部を有し、該嵌合部の上方に連接する筒状部を介して突起部を上方に向けて設け、前記底部上に設けた略筒状の外壁を有する透明合成樹脂製の中間ケースと、該中間ケースの外壁をほぼ覆い周縁の少なくとも一部を前記中間ケースの外壁に係止すると共に、前記中間ケースの突起部に対し回転自在に嵌合する嵌合部を有する透明合成樹脂製のカバーとから成ることを特徴とする。
【０００９】
【発明の実施の形態】
本発明を図１〜図４に図示の実施の形態に基づいて詳細に説明する。
図１は実施の形態における陳列収納ケースの分解斜視図、図２は組立状態の縦断面図、図３は横断面図を示し、この陳列収容ケースは、台座１１、例えば２個の中間ケース１２、１２’、カバー１３から構成されている。
【００１０】
台座１１は合成樹脂材から成り、両端を円弧状とした小判型の平坦部１１ａ上に上方に突出する円筒状の突起部１１ｂが設けられ、突起部１１ｂの上端部１１ｃは平坦に閉塞されている。突起部１１ｂの中心は、一方の端部の円弧部の曲率中心に位置し、他方の端部には外周の円弧部に沿った線分と台座１１の横手方向を通る線分とにより囲まれた凹部１１ｄが形成されている。
【００１１】
２個の中間ケース１２、１２’は透明合成樹脂から成る同一形状とされ、下段の中間ケース１２は、台座１１上に重なるように台座１１と同形状の小判型とされ、底部１２ａ及びこの底部１２ａ上に設けられた略筒状の外壁１２ｂを有している。また、底部１２ａには台座１１の突起部１１ｂに外側から嵌合する嵌合穴１２ｃが設けられ、この嵌合穴１２ｃの上方に筒状部１２ｄが連設され、筒状部１２ｄの上部は突起部１２ｅとされ、この突起部１２ｅは外壁１２ｂよりも高く形成され、その上端部１２ｆは平坦とされている。更に、中間ケース１２の底部１２ａには台座１１の凹部１１ｄに係止する突条１２ｇが下方に向けて設けられている。
【００１２】
上段の中間ケース１２’は下段の中間ケース１２の外壁１２ｂ上に重なるようにされ、突起部１２ｅに嵌合穴１２ｃ’が回動自在に回動し、突条１２ｇ’が外壁１２ｂの内側に係止するようにされている。
【００１３】
カバー１３は中間ケース１２’又は台座１１上に重ねられるように、これらとほぼ同形の小判型とされ、一方の端部に中間ケース１２の突起部１２ｅ’又は台座１１の突起部１１ｂに嵌合する嵌合穴１３ａが設けられ、この嵌合穴１３ａとは反対側の他方の端部に、中間ケース１２’の外壁１２ｂ’又は台座１１の凹部１１ｄに係止し、凹部１１ｄの円弧部に沿って円弧状の突条１３ｂが下方に向けて形成されている。
【００１４】
これらの台座１１、２つの中間ケース１２、１２’、カバー１３は、この順に上方に順次に重ねることができ、台座１１と中間ケース１２は突起部１１ｂと嵌合穴１２ｃにより、中間ケース１２、１２’同士は突起部１２ｅと嵌合穴１２ｃ’により、中間ケース１２’とカバー１３とは突起部１２ｅ’と嵌合穴１３ａにより嵌合することができる。そして、これらは図４に示すように回動自在にされている。
【００１５】
これらの回動は台座１１の凹部１１ｄと中間ケース１２の突条１２ｇ’により、また中間ケース１２の外壁１２ｂと中間ケース１２’の突条１２ｇ’、中間ケース１２’の外壁１２ｂ’とカバー１３の突条１３ｂによる係止によって規制されるので、正規の位置に戻す際に、回動が行き過ぎることはない。
【００１６】
物品をこの陳列収納ケースに陳列するには、上述の組立てに従って、物品を並べてゆけばよいが、途中での物品の挿入、取り出す際には、図４に示すように、必要に応じて上方のカバー１３や中間ケース１２’を回動させることにより、下方の中間ケース１２、１２’に対して物品の挿入、取り出しが可能となる。
【００１７】
更には、起立安定性が悪いキャラクタ人形などは、中間ケース１２、１２’の筒状部１２ｄ、１２ｄ’内に挿入し、下部の台座１１の上端部１１ｃ、又は中間ケース１２の上端部１２ｆ上に載置することにより、起立状態を維持して陳列することができる。
【００１８】
また、本実施の形態においては２個の中間ケース１２、１２’を用いたが、台座１１とカバー１３の間には他の数の中間ケース１２を用いてもよく、収納する物品の高さにより外壁１２ｂの高さが異なる中間ケース１２を用いることもできる。
【００１９】
また、中間ケース１２、１２’の筒状部１２ｄ、１２ｄ’内への部品の挿入は、上端部１１ｃ、１２ｆ上に載置されているが、筒状部１２ｄ、１２ｄ’内に底部を設けて、この底部上に物品を載置してもよい。
【００２０】
【発明の効果】
以上説明したように本発明に係る陳列収納ケースは、陳列した物品を取り出したり、並べ替える際に、中間ケースやカバーを回動して、物品を出し入れすることができるため、中間ケースやカバーが傾くことにより、物品の陳列が崩れたりすることもなく、起立が不安定な物品も収納することができる。
【図面の簡単な説明】
【図１】実施の形態における陳列収納ケースの分解斜視図である。
【図２】組立状態の縦断面図である。
【図３】組立状態の横断面図である。
【図４】カバーを回動させた状態の斜視図である。
【図５】従来の陳列収納ケースの斜視図である。
【符号の説明】
１１　台座
１１ｃ、１２ｅ、１２ｅ’　突起部
１２、１２’　中間ケース
１２ａ、１２ａ’　底部
１２ｂ、１２ｂ’　外壁
１２ｃ、１２ｃ’、１３ａ　嵌合穴
１２ｄ、１２ｄ’　筒状部
１３　カバー
【図１】
2004135914.tif 000003
【図２】
2004135914.tif 000004
【図３】
2004135914.tif 000005
【図４】
2004135914.tif 000006
【図５】
2004135914.tif 000007